(57)【要約】【課題】着用時に、着用者の肌との間に滞留する湿気を効率よく速やかに排出することができ、快適に使用することができる使い捨ておむつを提供する。【解決手段】前身頃２、股下部４及び後身頃６の各部から構成され、吸収体２２と、吸収体２２の表面を被覆するように配置されたトップシート１８と、吸収体２２の裏面を被覆するように配置されたバックシート２０と、を備え、前身頃２及び後身頃６の長手方向のそれぞれの端部領域には、通気用部材１０ａが付設され、その長手方向に連通する通気用の溝５ａが形成されている使い捨ておむつ１Ａである。【選択図】図１Ａ
2010110470.tif 000002
【特許請求の範囲】
【請求項１】
前身頃、股下部及び後身頃の各部から構成され、
吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、
前記前身頃及び前記後身頃の長手方向のそれぞれの端部領域には、通気用部材が付設され、その長手方向に連通する通気用の溝及び／又は孔が形成されている使い捨ておむつ。
【請求項２】
前記溝及び／又は前記孔が、前記トップシート上に形成されている請求項１に記載の使い捨ておむつ。
【請求項３】
前記孔が、前記トップシートと前記バックシートの間に形成されている請求項１又は２に記載の使い捨ておむつ。
【請求項４】
複数の前記溝及び／又は複数の前記孔が、前記通気用部材の内側壁で仕切られることで形成されている請求項１〜３のいずれか一項に記載の使い捨ておむつ。
【請求項５】
前記トップシートの面上の、前記吸収体の長手方向の両端縁の外方に対応する部分に、疎水性領域を有する請求項１〜４のいずれか一項に記載の使い捨ておむつ。
【請求項６】
前記吸収体の長手方向の両端縁の外方に、疎水性領域を有する請求項１〜５のいずれか一項に記載の使い捨ておむつ。
【発明の詳細な説明】
【技術分野】
【０００１】
本発明は、着用して使用した場合に、着用者の肌との間に滞留する湿気を外部に排出する機能を有する使い捨ておむつに関する。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、排泄物はトップシートの液透過性部分を透過して吸収体に吸収・保持される。そして、吸収体の裏面側に配置された液不透過性のバックシートによって、排泄物が外部に漏洩することが防止される。
【０００４】
ところで、吸収性物品の着用時には、尿や汗、体液等から発生する湿気が吸収性物品と着用者の肌との間に滞留し易い。この湿気は、かぶれ等のスキントラブルの原因となり、蒸れ、べたつき等の不快感を生じさせるため好ましくない。
【０００５】
そこで、吸収性物品と着用者の肌との間の空間に滞留する湿気を外部に排出し、吸収性物品内部の湿度を低下させるために、種々の提案がなされている。例えば、多数の微細孔が形成されたフィルムを用いたバックシート材や防漏シート等が提案されている（特許文献１及び２参照）。また、吸収性本体に接合される外包材を加工して複数の襞を形成し、形成した複数の襞をウエスト部及び胴回り部の全周に配置した吸収性物品が開示されている（特許文献３参照）。
【０００６】
【特許文献１】特開平１１−３４８１６３号公報
【特許文献２】特開２００７−０２０６６４号公報
【特許文献３】特開２００８−１３６７９４号公報
【発明の開示】
【発明が解決しようとする課題】
【０００７】
特許文献１に記載のバックシート材や特許文献２に記載の防漏シートは、フィルムに形成された多数の微細孔によって、漏れを防止しつつ透湿性を向上させることが可能であり、吸収性物品と着用者の肌との間の湿気をある程度排出することができる。しかしながら、これらの発明はバックシート材等の本来的な性能である防漏性を確保した上で、透湿性を改善するものに留まる。従って、透湿性の向上には自ずと限界があり、吸収性物品と着用者の肌との間に滞留する湿気を効率よく排出可能なものではないというのが現状であった。
【０００８】
また、特許文献３に記載の吸収性物品は、着用者の肌との間に滞留した湿気を、ウエスト部及び胴回り部の全周に配置される複数の襞を通じて外部に排出することが期待されている。しかしながら、使い捨ておむつに代表される吸収性物品を構成する部材の一つである外包材自体を加工して形成した襞は、着用時に潰れ易く、湿気を外部へと排出する流路としての機能が容易に低下してしまい、滞留した湿気を外部へと排出する効果が必ずしも十分であるとはいえず、解決すべき課題を残すものであった。
【０００９】
本発明は、このような従来技術の有する問題点に鑑みてなされたものであり、その課題とするところは、着用時に、着用者の肌との間に滞留する湿気を効率よく速やかに排出することができ、快適に使用することができる使い捨ておむつを提供することにある。
【課題を解決するための手段】
【００１０】
本発明者らは上記課題を達成すべく鋭意検討した結果、前身頃及び後身頃の長手方向のそれぞれの端部領域に、従来の使い捨ておむつを構成する部材とは別体の所定の部材を付設して通気用の溝及び／又は孔を形成することによって、上記課題を達成することが可能であることを見出し、本発明を完成するに至った。
【００１１】
即ち、本発明によれば、以下に示す使い捨ておむつが提供される。
【００１２】
［１］前身頃、股下部及び後身頃の各部から構成され、吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、前記前身頃及び前記後身頃の長手方向のそれぞれの端部領域には、通気用部材が付設され、その長手方向に連通する通気用の溝及び／又は孔が形成されている使い捨ておむつ。
【００１３】
［２］前記溝及び／又は前記孔が、前記トップシート上に形成されている前記［１］に記載の使い捨ておむつ。
【００１４】
［３］前記孔が、前記トップシートと前記バックシートの間に形成されている前記［１］又は［２］に記載の使い捨ておむつ。
【００１５】
［４］複数の前記溝及び／又は複数の前記孔が、前記通気用部材の内側壁で仕切られることで形成されている前記［１］〜［３］のいずれかに記載の使い捨ておむつ。
【００１６】
［５］前記トップシートの面上の、前記吸収体の長手方向の両端縁の外方に対応する部分に、疎水性領域を有する前記［１］〜［４］のいずれかに記載の使い捨ておむつ。
【００１７】
［６］前記吸収体の長手方向の両端縁の外方に、疎水性領域を有する前記［１］〜［５］のいずれかに記載の使い捨ておむつ。
【発明の効果】
【００１８】
本発明の使い捨ておむつは、着用時に、着用者の肌との間に滞留する湿気を効率よく速やかに排出することができ、快適に使用することができるといった効果を奏するものである。
【発明を実施するための最良の形態】
【００１９】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２０】
本発明の使い捨ておむつは、前身頃、股下部及び後身頃の各部から構成され、吸収体と、少なくとも一部が液透過性材料からなり、吸収体の表面を被覆するように配置されたトップシートと、液不透過性材料からなり、吸収体の裏面を被覆するように配置されたバックシートと、を備えたものである。そして、本発明の使い捨ておむつの前身頃及び後身頃の長手方向のそれぞれの端部領域には、通気用部材が付設されている。そして、この通気用部材が付設されることで、使い捨ておむつの長手方向に連通する溝及び／又は孔が形成されている。
【００２１】
前身頃及び後身頃の長手方向のそれぞれの端部領域に形成された溝や孔は、使い捨ておむつを着用した際に、通気路としての機能を果たすものである。従って、本発明の使い捨ておむつは、簡単な構成でありながらも、着用者の肌との間に滞留する湿気を効率よく速やかに排出することが可能なものであり、かぶれ等のスキントラブルや、蒸れ、べたつき等の不快感を生ずることが少なく、着用者のストレスを軽減するとともに快適に使用することが期待される。
【００２２】
更に、本発明の使い捨ておむつの溝や孔は、使い捨ておむつ自体を構成する部材（例えば、トップシート、バックシート、カバーシート（外装シート）等）とは別体の所定の部材（通気用部材）を付設して形成されている。即ち、本発明の使い捨ておむつの溝や孔を形成するに際しては、通気用の溝等を形成するのに好ましい特性（例えば、溝等が潰れない程度の適度な強度と弾力性）を有する材料を任意に選択して用いることができる。このため、本発明の使い捨ておむつは、カバーシート等の構成部材を形状加工して形成した襞等の通気手段を有する従来の使い捨ておむつに比して、通気路として機能する溝や孔が、着用時に潰れたり、よれて閉塞されたりする等の不具合が極めて生じ難い。従って、本発明の使い捨ておむつは、着用者の動きが激しいような場合、或いは同一の姿勢で長時間着用し続けるような場合等であっても、継続的に長時間内部の湿気を外部に排出し続けることが可能である。
【００２３】
以下、本発明の使い捨ておむつの詳細について、テープ型使い捨ておむつ、及びパンツ型使い捨ておむつを例に挙げて説明する。なお、「テープ型使い捨ておむつ」とは、図１Ａ及び図１Ｃに示す使い捨ておむつ１Ａのように、吸収体２２と、トップシート１８と、バックシート２０とを備え、後身頃６の左右の各側縁６ａ，６ｂから延出するように配置された、前身頃２と後身頃６とを固定するための止着テープ１１を更に備えた使い捨ておむつを意味する。
【００２４】
また、「パンツ型使い捨ておむつ」とは、例えば、図７Ａ及び図７Ｂに示す使い捨ておむつ１Ｃのように、シート材によって構成され、一つのウエスト周り開口部１０及び一対の脚周り開口部１２が形成されたパンツ型を呈する外装シート１６と、吸収体２２が内包されたパッド状を呈し、外装シート１６の内面側に固定された吸収性本体１４と、を備えたものである。
【００２５】
パンツ型使い捨ておむつ１Ｃにおいて、外装シート１６は、シート材が、内面に配置されるインナーシート１６ａと外面に配置されるアウターシート１６ｂとが貼り合わされて構成されている。また、外装シート１６のウエスト周り部分には、外装シート１６の層間に（この例では、インナーシート１６ａとアウターシート１６ｂとの層間に）、伸張状態のウエスト周り伸縮材４２が固定され、外装シート１６の腹周り部分には、インナーシート１６ａとアウターシート１６ｂとの層間に、伸張状態の腹周り伸縮材４４が固定されている。吸収性本体１４は、吸収体２２、トップシート１８及びバックシート２０が一体的なパッド状に構成されている。
【００２６】
［１］使い捨ておむつ：
図１Ａは、本発明の使い捨ておむつの一実施形態を示す図であり、展開してトップシート側から見た状態を示す概略平面図である。また、図１Ｂは、図１Ａに示す使い捨ておむつのＸ−Ｘ’断面を示す概略断面図である。図１Ａ及び図１Ｂに示すように、本実施形態の使い捨ておむつ１Ａは、前身頃２、股下部４及び後身頃６の各部から構成されている。「前身頃」とは、図１Ａに示すように、着用者に装着した際に、着用者の腹側（身体前方）を覆う部分を意味する。また、「股下部」とは、着用者に装着した際に、着用者の股下を覆う部分（図１Ａ中、符号４）を意味する。更に、「後身頃」とは、着用者に装着した際に、着用者の背側（身体後方）を覆う部分（図１Ａ中、符号６）を意味する。
【００２７】
本実施形態の使い捨ておむつ１Ａの前身頃２と後身頃６の長手方向のそれぞれの端部領域には、通気用部材１０ａが付設されている。このような通気用部材１０ａが前身頃２と後身頃６の長手方向のそれぞれの端部領域に付設されることによって、通気用の溝５ａがトップシート１８上に形成されている。なお、通気用の溝５ａは、使い捨ておむつ１Ａの長手方向に連通するように形成されている。
【００２８】
［１−１］通気用部材：
図１Ａ及び図１Ｂに示すように、通気用部材１０ａは、複数の溝５ａと複数の凸状部１２ａが形成された凹凸面を有するシート状の部材であり、使い捨ておむつ１Ａの前身頃２と後身頃６の長手方向のそれぞれの端部領域のトップシート１８上に付設されている。このような通気用部材１０ａが付設された使い捨ておむつ１Ａを着用すると、溝５ａを構成する通気用部材１０ａの内側壁と着用者の肌によって通気路が区画形成される。形成される通気路は、おむつ内部の湿気を外部へと排出可能な流路としての機能を示すこととなる。
【００２９】
また、図２に示すように、複数のピース（切片）状の通気用部材１０ｂを前身頃と後身頃の長手方向のそれぞれの端部領域のトップシート１８上に並べて配置し、隣接して配置された通気用部材１０ｂどうしの間で複数の溝５ｂを形成することもできる。
【００３０】
図３Ａは、本発明の使い捨ておむつの更に他の実施形態を示す図であり、展開してトップシート側から見た状態を示す概略平面図である。また、図３Ｂは、図３Ａに示す使い捨ておむつのＸ−Ｘ’断面を示す概略断面図である。図３Ａ及び図４Ｂに示すように、本実施形態の使い捨ておむつ１Ｂの前身頃２と後身頃６の長手方向のそれぞれの端部領域における、バックシート２０とトップシート１８の間には、通気用部材１０ｃが付設されている。この通気用部材１０ｃは、複数の溝５ａと複数の凸状部１２ｂ（１２ａ）が形成された凹凸面を有するシート状の部材であり、図１Ｂに示す通気用部材１０ａと同様の構成を有するものである。
【００３１】
このような通気用部材１０ｃが付設された使い捨ておむつ１Ｂにおいては、トップシート１８とバックシート２０の間に、複数の孔８ａが形成されている。即ち、前身頃２と後身頃６の長手方向のそれぞれの端部領域に形成された複数の孔８ａは、おむつ内部の湿気を外部へと排出可能な流路としての機能を示すものである。
【００３２】
また、図４に示すように、複数のピース（切片）状の通気用部材１０ｄを前身頃と後身頃の長手方向のそれぞれの端部領域におけるトップシート１８とバックシート２０の間に並べて配置し、隣接して配置された通気用部材１０ｄどうしの間で複数の溝５ｂ及び複数の孔８ｂを形成してもよい。
【００３３】
更に、図５に示すような通気用部材１０ｅをトップシート１８上に付設することによって、前身頃と後身頃の長手方向のそれぞれの端部領域に通気用の溝５ｃと孔８ｃを形成することも好ましい。この通気用部材１０ｅは、収縮状態の伸縮性シート３０ｂと、この伸縮性シート３０ｂ上に波型に屈曲した状態で配置されたシート材２５と、によって構成されている。このような通気用部材１０ｅをトップシート１８上に付設することによって、通気用の溝５ｃと孔８ｃを同時に形成することができ、おむつ内部の湿気を外部へと排出する効率を更に向上させることが可能となる。
【００３４】
形成される溝や孔の数は特に限定されないが、図１Ａ、図１Ｂ、図３Ａ、及び図３Ｂ等に示すように、複数の溝５ａ及び／又は複数の孔８ａが形成されていることが好ましい。なお、溝や孔の数は、おむつのサイズ等によって適宜設定される。
【００３５】
溝幅（図１Ａ、図１Ｂ、及び図２中の符号Ｗ）及び孔径（図３Ａ、図３Ｂ、及び図４中の符号Ｄ）については特に限定されないが、十分な通気性を確保するとともに、おむつ内部の尿等の外部への漏洩を防止する等の観点から適宜設定される。より具体的には、溝幅Ｗ及び孔径Ｄは、０．５〜１０ｍｍであることが好ましく、２〜５ｍｍであることが更に好ましい。
【００３６】
また、溝や孔の高さ（深さ）については特に限定されないが、十分な通気性を確保するとともに、おむつ内部の尿等の外部への漏洩を防止する等の観点から適宜設定される。より具体的には、溝や孔の高さ（深さ）は、０．５〜７ｍｍであることが好ましく、２〜５ｍｍであることが更に好ましい。
【００３７】
通気用部材を構成する材料は、おむつの着用時に溝や孔が潰れ難く、適度な強度及び弾力性（コシ）を有する材料であることが好ましい。更に、着用者の肌に接触することを考慮すると、通気用部材を構成する材料は、前述の強度及び弾力性（コシ）とともに適度な柔軟性をも兼ね備えた材料であることが好ましい。通気用部材を構成する材料の具体例としては、嵩高不織布、ウレタンフォーム等の圧縮可能な材料を挙げることができる。
【００３８】
図１Ａ及び図１Ｂに示す通気用部材１０ａは、例えば、嵩高不織布やウレタンフォーム等からなる帯状シートを用意し、この帯状シートの長さ方向に所定の間隔で押圧加工を施して複数の溝５ａを形成することにより作製することができる。また、図２に示すピース（切片）状の通気用部材１０ｂは、例えば、前述の帯状シートを適当な幅で裁断することにより作製することができる。
【００３９】
なお、図５に示す通気用部材１０ｅは、例えば図６に示す手順で作製することができる。先ず、伸長状態の伸縮性シート３０ａと薄地のシート材２５を積層する。伸縮性シートの具体例としては、ポリウレタン、スチレン−ブタジエン−スチレンブロック共重合体（ＳＢＳ）、スチレン−エチレン−ブタジエン−スチレンブロック共重合体（ＳＥＢＳ）、スチレン−イソプレン−スチレンブロック共重合体（ＳＩＳ）等のエラストマーをシート状又はネット状としたものを挙げることができる。また、シート材の具体例としては、不織布、フィルム等を挙げることができる。
【００４０】
次いで、積層した伸長状態の伸縮性シート３０ａとシート材２５を所定の間隔で接合して接合部３５を形成すれば、収縮状態の伸縮性シート３０ｂと、この伸縮性シート３０ｂ上に波型に屈曲した状態で配置されたシート材２５と、を備えた通気用部材１０ｅを作製することができる。なお、接合部３５は、例えば、ヒートシール、高周波シール、超音波シール等の熱融着方式、或いは粘着剤や接着剤を用いた接着方式により形成することができる。
【００４１】
上述のようにして作製された通気用部材を、例えば接着剤等を用いてトップシート上、或いはバックシートとトップシートの間に付設すれば、本発明の使い捨ておむつを製造することができる。
【００４２】
［１−２］吸収体：
吸収体は、着用者の尿や体液を吸収し、保持するための部材であり、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては、木材パルプや非木材パルプを綿状に解繊したものを、ＳＡＰとしては、ポリアクリル酸ナトリウムを、親水性シートとしては、ティシュ、吸収紙、親水化処理を行った不織布等を用いることが好ましい。
【００４３】
吸収体は、一種以上の吸収性材料を単層又は複層のマット状に成形したものを用いることが好ましい。なかでも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００４４】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。通常、吸収体はトップシートとバックシートの間に挟み込まれ、両シートと一体化された状態で用いられる。
【００４５】
なお、吸収体の上面側に（例えば、吸収体とトップシートとの間に）、尿や体液等の液体を拡散させるためのシート（セカンドシート）を付帯的に配置してもよい。セカンドシートを付設すると、排尿量が多い場合や複数回の排尿により吸収体に多くの尿が吸収された状態で排尿があった場合などでも、尿や体液等の吸収速度が低下し難く、吸収速度の低下による尿や体液等の漏れを防止することが可能となる。
【００４６】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００４７】
［１−３］トップシート：
トップシートは、吸収体の上面（おむつの装着時において着用者の肌側に位置する面）を被覆するように配置されるシートである。トップシートは、その下面側に配置された吸収体に、着用者の尿等を吸収させる必要から、その少なくとも一部（全部又は一部）が液透過性材料により構成される。通常、少なくとも吸収体の上面近傍については、着用者の尿や体液を透過させ得る液透過性の材料によって構成される。少なくとも一部が液透過性材料により構成されている限り、必ずしもトップシート全体が液透過性材料で構成されている必要はない。
【００４８】
トップシートを構成する液透過性材料としては、例えば、織布、不織布、多孔性フィルム等を挙げることができる。なかでも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。なお、親水化処理は、界面活性剤を塗布、スプレー、含浸等させることにより行うことができる。
【００４９】
トップシートは単一のシート材によって構成されていてもよいが、複数のシート材によって構成されていてもよい。例えば、吸収体の上面部分に配置されるトップシートと、サイドフラップの部分に配置されるトップシートとを異なるシートによって構成する形態もよく利用される。例えば、図１Ａに示す使い捨ておむつ１Ａは、おむつの幅方向中央部には液透過性材料からなるトップシート１８を配置し、おむつのサイドフラップ部分には液の透過に対して抵抗性を示す通気撥水性材料からなるサイドシート１９を配置した例である。通気撥水性シートとしては、カードエンボス、スパンボンド等の製法により製造された不織布であってもよいが、防水性の高いＳＭＳ、ＳＭＭＳ等の不織布シートが更に好ましい。
【００５０】
また、図１Ａ及び図８に示すように、トップシート１８の面上の、吸収体２２の長手方向の両端縁の外方に対応する部分には、疎水性シート材１５ａ等を貼付すること等により疎水性領域１５を形成することが好ましい。このような疎水性領域１５を吸収体２２の両端縁の外方に対応するトップシート１８の面上に形成することにより、吸収体２２に吸収しきれなかった着用者の尿や体液が、通気用部材１０ａの溝５ａ等を通じて、前身頃２と後身頃６の長手方向のそれぞれの端部からおむつの外部へと漏れ出すことを効果的に防止することができる。
【００５１】
疎水性領域は、図１Ａ及び図８に示すようにトップシート１８の面上に設けるだけでなく、吸収体の長手方向の両端縁の外方（即ち、バックシート内表面上）に設けることも好ましい。疎水性領域を吸収体の両端縁の外方のバックシート内表面上に設けることによっても、吸収体に吸収しきれなかった着用者の尿や体液が、通気用部材の溝及び／又は孔を通じて、前身頃と後身頃の長手方向のそれぞれの端部からおむつの外部へと漏れ出すことを効果的に防止することができる。
【００５２】
疎水性領域は、例えば、撥水性材料や液不透過性材料からなる疎水性シート材を所定の箇所に貼付することによって容易に形成することができる。このような疎水性シート材としては、カードエンボス、スパンボンド等の製法により製造された不織布や、防水性の高いＳＭＳ、ＳＭＭＳ等の不織布シート、ポリエチレン等の樹脂からなる液不透過性フィルム等を挙げることができる。なお、図９に示すように、トップシート１８の所定箇所を疎水性加工することによっても疎水性領域１５を形成することが可能である。
【００５３】
［１−４］バックシート：
バックシートは、吸収体の裏面（おむつの装着時において着用者の肌から遠い側に位置する面）を被覆するように配置されるシートである。バックシートは、着用者の尿がおむつ外部に漏洩してしまうことを防止する必要から、液不透過性材料によって構成される。
【００５４】
バックシートの配置位置については特に制限はない。吸収体で吸収された尿の漏れを防止するという観点から、少なくとも吸収体の存在する部分にバックシートが配置されていることが好ましい。
【００５５】
なお、図９に示すように、バックシート２０の長手方向の両端部を２０ａ，２０ｂを、吸収体２２の長手方向の両端部を包むようにトップシート１８の側へと折り返すことが好ましい。このように、バックシート２０の長手方向の両端部を２０ａ，２０ｂをトップシート１８側に折り返すことによって、吸収体２２に吸収しきれなかった着用者の尿や体液が、通気用部材の溝等を通じておむつの外部へと漏れ出すことを効果的に防止することができる。
【００５６】
バックシートを構成する液不透過性材料としては、例えば、ポリエチレン等の樹脂からなる液不透過性フィルム等を挙げることができ、なかでも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００５７】
なお、図１Ａ、図１Ｂ、及び図１Ｃに示すように、バックシート２０の外表面側にカバーシート２４を貼り合わせてもよい。このカバーシートは、バックシートを補強し、バックシートの手触り（触感）を良好なものとするために用いられる。
【００５８】
カバーシートを構成する材料としては、例えば、織布、不織布等を挙げることができる。なかでも、ポリエチレン、ポリプロピレン、ポリエステル等の熱可塑性樹脂からなる乾式不織布、湿式不織布を用いることが好ましい。
【００５９】
［１−５］止着テープ：
本発明の使い捨ておむつは、図１Ａに示すように、後身頃６の左右の各側縁６ａ，６ｂから延出するように配置された、前身頃２と後身頃６とを固定するための止着テープ１１を備えていてもよい。
【００６０】
止着テープのファスニング部材としては、粘着剤により固定を行う粘着ファスナーであってもよいが、機械的な結合により固定を行うメカニカルファスナー（面状ファスナー）を用いることが好ましい。メカニカルファスナーは、止着力が高いことに加え、複数回の脱着を行っても止着力が低下することがないという利点がある。
【００６１】
例えば、図１Ａに示す使い捨ておむつ１Ａは、ファスニング部材として、メカニカルファスナー４６を用いた例である。止着テープ１１の先端近傍には、フック材４６ａが付設されている。一方、前身頃２には、ループ材からなるフロントパッチ（図示せず）が付設されており、フロントパッチに対して止着テープ１１を止め付けることが可能なように構成されている。
【００６２】
止着テープの数は特に限定されず、着用者の体型（具体的には、ウエスト周り、脚周り等）の寸法に合わせて、適当な数の止着テープを付設すればよい。一般的には、乳幼児用の使い捨ておむつであれば一対（左右１個ずつ）、成人用の使い捨ておむつであれば二対（左右２個ずつ）が付設される。
【００６３】
［１−６］立体ギャザー：
本発明の使い捨ておむつは、図１Ｃに示す使い捨ておむつ１Ａのように、撥水性シート３２からなり、吸収体２２の両側に配置された左右一対の立体ギャザー２６（２６ａ，２６ｂ）を備えていることが好ましい。
【００６４】
立体ギャザーの構成は、従来の使い捨ておむつ、その他の吸収性物品に使用される構成を採用することができる。例えば、図１Ｃに示すように、撥水性シート３２の層間に立体ギャザー伸縮材３６を挟み込んで固定し、その立体ギャザー伸縮材３６の収縮力によってギャザー（襞）を形成したもの等を好適に用いることができる。
【００６５】
なお、立体ギャザーは、前記のように立体ギャザー用の撥水性シートを別途付設してもよいし、おむつを構成するシート材（例えば、撥水性のサイドシート等）の一部によって形成してもよい。撥水性シートは、カードエンボス、スパンボンド等の製法により製造された不織布であってもよいが、防水性の高いＳＭＳ、ＳＭＭＳ等の不織布シートが更に好ましい。
【００６６】
立体ギャザーは、股下部からの漏れを防止するため、少なくとも股下部に形成されていればよいが、前身頃や後身頃に形成されていてもよい。図１Ａ及び図１Ｃに示す使い捨ておむつ１Ａは、おむつの長手方向に沿って、股下部４から前身頃２と後身頃６の双方にかけて連続的に、一対の立体ギャザー２６（２６ａ，２６ｂ）が形成された例である。また、立体ギャザーは、少なくとも一対形成する必要があるが、二対以上形成してもよい。
【００６７】
また、立体ギャザーは、おむつの内側に向かって傾倒する内倒しギャザーであってもよいし、おむつの外側に向かって傾倒する外倒しギャザーであってもよい。更に、高さ方向の一部に、曲げ部や折り返し部を形成した立体ギャザー（Ｃ折りギャザーやＺ折りギャザー等）とすることもできる。図１Ａ及び図１Ｃに示す使い捨ておむつ１Ａは、立体ギャザー２６（２６ａ，２６ｂ）を内倒しギャザーとした例である。
【００６８】
［１−７］各種伸縮材：
本発明の使い捨ておむつには、脚周り伸縮材、ウエスト周り伸縮材、腹周り伸縮材等の伸縮材を配置することが好ましい。
【００６９】
脚周り伸縮材は、脚周り開口部に沿って配置される伸縮材である。図１Ａ及び図１Ｃに示す使い捨ておむつ１Ａでは、吸収体２２の側縁に沿って、直線的に左右３本ずつの脚周り伸縮材４０が配置されている。また、図７Ａ及び図７Ｂに示す使い捨ておむつ１Ｃにおいては、脚周り開口部１２のカーブに沿って、左右２本ずつの脚周り伸縮材４０が配置されている。脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００７０】
脚周り伸縮材は、糸ゴムや平ゴム等によって構成される。そして、脚周り伸縮材は、立体ギャザーの起立線より外側の部分に配置されていることが好ましい。このような構成とすると、立体ギャザーの十分な防漏効果を確保しつつ、股下部の装用感・装着感を向上させることができる。
【００７１】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００７２】
ウエスト周り伸縮材は、ウレタンフォーム等の伸縮性フォームによって帯状に形成することが好ましい。この帯状のウエスト周り伸縮材は、後身頃（背側）のみ、前身頃（腹側）のみ、或いは後身頃と前身頃の双方に配置することができる。一方、図７Ａ及び図７Ｂに示す使い捨ておむつ１Ｃは、おむつの後身頃６の端縁に沿って糸状のウエスト周り伸縮材４２を配置した例である。
【００７３】
なお、パンツ型使い捨ておむつにあっては、外装シートのウエスト周り部分に、その外装シートの層間に伸張状態のウエスト周り伸縮材が固定されることが一般的である。「外装シートの層間」とは、インナーシートとアウターシートの貼り合わせ部分の層間に、ウエスト周り伸縮材が固定されるものに限定されない。例えば、インナーシート又はアウターシートの折り返し部分の層間等にウエスト周り伸縮材が固定されていてもよい。
【００７４】
パンツ型使い捨ておむつの場合には、図７Ｂに示すように、腹周り伸縮材４４を配置することも好ましい。腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００７５】
これらの伸縮材については、ギャザーの収縮の程度等を勘案した上で、構成材料、その材料の伸長率、固定時の伸長状態等を決定すればよい。
【００７６】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００７７】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００７８】
伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００７９】
［２］適用対象：
本発明の使い捨ておむつは、既に説明したようなテープ型使い捨ておむつやパンツ型使い捨ておむつに対して適用することができる。
【産業上の利用可能性】
【００８０】
本発明の使い捨ておむつは、乳幼児用、又は介護を必要とする高齢者や障害者等の成人用の使い捨ておむつとして好適に用いることができる。
【図面の簡単な説明】
【００８１】
【図１Ａ】本発明の使い捨ておむつの一実施形態を示す図であり、展開してトップシート側から見た状態を示す概略平面図である。
【図１Ｂ】図１Ａに示す使い捨ておむつのＸ−Ｘ’断面を示す概略断面図である。
【図１Ｃ】図１Ａに示す使い捨ておむつのＹ−Ｙ’断面を示す概略断面図である。
【図２】本発明の使い捨ておむつの他の実施形態の一部分を示す概略断面図である。
【図３Ａ】本発明の使い捨ておむつの更に他の実施形態を示す図であり、展開してトップシート側から見た状態を示す概略平面図である。
【図３Ｂ】図３Ａに示す使い捨ておむつのＸ−Ｘ’断面を示す概略断面図である。
【図４】本発明の使い捨ておむつの更に他の実施形態の一部分を示す概略断面図である。
【図５】本発明の使い捨ておむつの更に他の実施形態の一部分を示す概略断面図である。
【図６】本発明の使い捨ておむつに用いられる通気用部材の一例を示す模式図である。
【図７Ａ】本発明の使い捨ておむつの更に他の実施形態を示す図であり、展開してトップシート側から見た状態を示す概略平面図である。
【図７Ｂ】図７Ａに示す使い捨ておむつを組み立てた状態を示す概略斜視図である。
【図８】トップシート上に形成した疎水性領域の一例を示す概略断面図である。
【図９】トップシートの所定箇所を疎水性加工して形成した疎水性領域の一例を示す概略断面図である。
【図１０】バックシートの両端部を折り返した状態の一例を示す概略断面図である。
【符号の説明】
【００８２】
１Ａ，１Ｂ，１Ｃ：使い捨ておむつ、２：前身頃、４：股下部、５ａ，５ｂ，５ｃ：溝、６：後身頃、６ａ，６ｂ：側縁部、８：接合部、８ａ，８ｂ，８ｃ：孔、１０：ウエスト周り開口部、１０ａ，１０ｂ，１０ｃ，１０ｄ，１０ｅ：通気用部材、１１：止着テープ、１２：脚周り開口部、１２ａ，１２ｂ：凸状部、１４：吸収性本体、１５：疎水性領域、１５ａ：疎水性シート材、１６：外装シート、１６ａ：アウターシート、１６ｂ：インナーシート、１８：トップシート、１９：サイドシート、２０：バックシート、２０ａ，２０ｂ：両端部、２２：吸収体、２４：カバーシート、２５：シート材、２６，２６ａ，２６ｂ：立体ギャザー、３０ａ：伸長状態の伸縮性シート、３０ｂ：収縮状態の伸縮性シート、３２：撥水性シート、３５：接合部、３６，３８：立体ギャザー伸縮材、４０：脚周り伸縮材、４２：ウエスト周り伸縮材、４４：腹周り伸縮材、４６：メカニカルファスナー、４６ａ：フック材、Ｗ：溝幅、Ｄ：孔径
【図１Ａ】
2010110470.tif 000003
【図１Ｂ】
2010110470.tif 000004
【図１Ｃ】
2010110470.tif 000005
【図２】
2010110470.tif 000006
【図３Ａ】
2010110470.tif 000007
【図３Ｂ】
2010110470.tif 000008
【図４】
2010110470.tif 000009
【図５】
2010110470.tif 000010
【図６】
2010110470.tif 000011
【図７Ａ】
2010110470.tif 000012
【図７Ｂ】
2010110470.tif 000013
【図８】
2010110470.tif 000014
【図９】
2010110470.tif 000015
【図１０】
2010110470.tif 000016